(57)【特許請求の範囲】
【請求項１】
ワイヤレスネットワーク内に配置されたフェムトノードに対して電力制御を実行するための方法であって、
フェムトノードで受信信号強度インジケータ(RSSI)を測定するステップと、
前記RSSIとノイズフロアおよびしきい値RSSIとの間の比較を判定するステップと、
前記比較に基づいて前記フェムトノードの送信パラメータを調整するステップと
を含む、方法。
【請求項２】
前記送信パラメータを調整する前記ステップが、前記RSSIが前記ノイズフロアよりも下であることを前記比較が指示した場合、前記フェムトノードの送信電力を最大送信電力に設定するステップを含む、請求項1に記載の方法。
【請求項３】
前記送信パラメータを調整する前記ステップが、前記RSSIが前記ノイズフロアよりも上であり前記しきい値RSSIよりも下であることを前記比較が指示した場合、前記フェムトノードの送信電力を、前記RSSI、前記ノイズフロア、および前記しきい値RSSIの関数として修正するステップを含む、請求項1に記載の方法。
【請求項４】
前記フェムトノードの前記送信電力を修正する前記ステップが、最大送信電力および最小送信電力にさらに基づく、請求項3に記載の方法。
【請求項５】
前記送信パラメータを調整する前記ステップが、前記RSSIが前記しきい値RSSIよりも上であることを前記比較が指示した場合、前記フェムトノードの送信電力をゼロまたは最小送信電力に設定するステップを含む、請求項1に記載の方法。
【請求項６】
前記送信パラメータが前記フェムトノードの送信電力である、請求項1に記載の方法。
【請求項７】
前記測定するステップが、送受信機またはネットワークリスニングモジュールを使用してダウンリンクチャネルの前記RSSIを決定するステップを含む、請求項1に記載の方法。
【請求項８】
受信された構成、前記フェムトノードの位置、隣接するフェムトノードの数、または、対応するパフォーマンスメトリックを有するしきい値RSSIの履歴のうちの少なくとも1つから、前記しきい値RSSIを決定するステップをさらに含む、請求項1に記載の方法。
【請求項９】
前記RSSIを測定する前記ステップが、タイマまたは前記フェムトノードによって検出されたイベントに基づいて実行される、請求項1に記載の方法。
【請求項１０】
前記イベントが、前記フェムトノードで検出されたRSSIの変化、前記フェムトノードまたは1つもしくは複数の隣接するフェムトノードで検出または指示された負荷の変化、あるいは新しい隣接するフェムトノードが前記ワイヤレスネットワーク内で通信することのうちの少なくとも1つである、請求項9に記載の方法。
【請求項１１】
前記送信パラメータを調整する前記ステップが、変調符号化方式、周波数/時間リソース利用量、アクセスモード、アンテナ選択、またはアンテナパターン選択を調整するステップを含む、請求項1に記載の方法。
【請求項１２】
ワイヤレスネットワーク内に配置されたフェムトノードに対して電力制御を実行するための装置であって、
フェムトノードで受信信号強度インジケータ(RSSI)を測定することと、
前記RSSIとノイズフロアおよびしきい値RSSIとの間の比較を判定することと、
前記比較に基づいて前記フェムトノードの送信パラメータを調整することと
を行うように構成された少なくとも1つのプロセッサと、
前記少なくとも1つのプロセッサに結合されたメモリと
を備える、装置。
【請求項１３】
前記RSSIが前記ノイズフロアよりも下であることを前記比較が指示した場合、前記少なくとも1つのプロセッサが、前記フェムトノードの送信電力を最大送信電力に設定することにより前記送信パラメータを調整する、請求項12に記載の装置。
【請求項１４】
前記RSSIが前記ノイズフロアよりも上であり、前記しきい値RSSIよりも下であることを前記比較が指示した場合、前記少なくとも1つのプロセッサが、前記フェムトノードの送信電力を、前記RSSI、前記ノイズフロア、および前記しきい値RSSIの関数として修正することにより前記送信パラメータを調整する、請求項12に記載の装置。
【請求項１５】
前記少なくとも1つのプロセッサが、最大送信電力および最小送信電力に基づいて前記フェムトノードの前記送信電力をさらに修正する、請求項14に記載の装置。
【請求項１６】
前記RSSIが前記しきい値RSSIよりも上であることを前記比較が指示した場合、前記少なくとも1つのプロセッサが、前記フェムトノードの送信電力をゼロまたは最小送信電力に設定することにより前記送信パラメータを調整する、請求項12に記載の装置。
【請求項１７】
前記送信パラメータが前記フェムトノードの送信電力である、請求項12に記載の装置。
【請求項１８】
前記少なくとも1つのプロセッサが、送受信機またはネットワークリスニングモジュールを使用して前記RSSIを測定する、請求項12に記載の装置。
【請求項１９】
前記少なくとも1つのプロセッサが、受信された構成、前記フェムトノードの位置、隣接するフェムトノードの数、または、対応するパフォーマンスメトリックを有するしきい値RSSIの履歴から、前記しきい値RSSIを決定するようにさらに構成された、請求項12に記載の装置。
【請求項２０】
前記少なくとも1つのプロセッサが、タイマまたは前記フェムトノードによって検出されたイベントに基づいて前記RSSIを測定する、請求項12に記載の装置。
【請求項２１】
前記イベントが、前記フェムトノードで検出されたRSSIの変化、前記フェムトノードまたは1つもしくは複数の隣接するフェムトノードで検出または指示された負荷の変化、あるいは新しい隣接するフェムトノードが前記ワイヤレスネットワーク内で通信することのうちの少なくとも1つである、請求項20に記載の装置。
【請求項２２】
ワイヤレスネットワーク内に配置されたフェムトノードに対して電力制御を実行するための装置であって、
フェムトノードで測定された受信信号強度インジケータ(RSSI)とノイズフロアおよびしきい値RSSIとの間の比較を判定するための手段と、
前記比較に基づいて前記フェムトノードの送信パラメータを調整するための手段と
を備える、装置。
【請求項２３】
前記RSSIが前記ノイズフロアよりも下であることを前記比較が指示した場合、前記調整するための手段が、前記フェムトノードの送信電力を最大送信電力に設定する、請求項22に記載の装置。
【請求項２４】
前記RSSIが前記ノイズフロアよりも上であり、前記しきい値RSSIよりも下であることを前記比較が指示した場合、前記調整するための手段が、前記フェムトノードの送信電力を、前記RSSI、前記ノイズフロア、および前記しきい値RSSIの関数として修正する、請求項22に記載の装置。
【請求項２５】
前記調整するための手段が、最大送信電力および最小送信電力にさらに基づいて前記フェムトノードの前記送信電力を修正する、請求項24に記載の装置。
【請求項２６】
前記RSSIが前記しきい値RSSIよりも上であることを前記比較が指示した場合、前記調整するための手段が、前記フェムトノードの送信電力をゼロまたは最小送信電力に設定する、請求項22に記載の装置。
【請求項２７】
前記送信パラメータが前記フェムトノードの送信電力である、請求項22に記載の装置。
【請求項２８】
前記判定するための手段が、ダウンリンクチャネルの前記RSSIを決定するための手段を含む、請求項22に記載の装置。
【請求項２９】
前記調整するための手段が、受信された構成、前記フェムトノードの位置、隣接するフェムトノードの数、または、対応するパフォーマンスメトリックを有するしきい値RSSIの履歴から、前記しきい値RSSIを決定する、請求項22に記載の装置。
【請求項３０】
前記判定するための手段が、タイマまたは前記フェムトノードによって検出されたイベントに基づいて前記RSSIを測定する、請求項22に記載の装置。
【請求項３１】
前記イベントが、前記フェムトノードで検出されたRSSIの変化、前記フェムトノードまたは1つもしくは複数の隣接するフェムトノードで検出または指示された負荷の変化、あるいは新しい隣接するフェムトノードが前記ワイヤレスネットワーク内で通信することのうちの少なくとも1つである、請求項30に記載の装置。
【請求項３２】
ワイヤレスネットワーク内に配置されたフェムトノードに対して電力制御を実行するためのコンピュータプログラムであって、
少なくとも1つのコンピュータに、フェムトノードで受信信号強度インジケータ(RSSI)を測定させるためのコードと、
前記少なくとも1つのコンピュータに、前記RSSIとノイズフロアおよびしきい値RSSIとの間の比較を判定させるためのコードと、
前記少なくとも1つのコンピュータに、前記比較に基づいて前記フェムトノードの送信パラメータを調整させるためのコードと
を備える、コンピュータプログラム。
【請求項３３】
前記RSSIが前記ノイズフロアよりも下であることを前記比較が指示した場合、前記少なくとも1つのコンピュータに調整させるための前記コードが、前記フェムトノードの送信電力を最大送信電力に設定することにより前記送信パラメータを調整する、請求項32に記載のコンピュータプログラム。
【請求項３４】
前記RSSIが前記ノイズフロアよりも上であり、前記しきい値RSSIよりも下であることを前記比較が指示した場合、前記少なくとも1つのコンピュータに調整させるための前記コードが、前記フェムトノードの送信電力を、前記RSSI、前記ノイズフロア、および前記しきい値RSSIの関数として修正することにより前記送信パラメータを調整する、請求項32に記載のコンピュータプログラム。
【請求項３５】
前記少なくとも1つのコンピュータに調整させるための前記コードが、最大送信電力および最小送信電力に基づいて前記フェムトノードの前記送信電力を修正する、請求項34に記載のコンピュータプログラム。
【請求項３６】
前記RSSIが前記しきい値RSSIよりも上であることを前記比較が指示した場合、前記少なくとも1つのコンピュータに調整させるための前記コードが、前記フェムトノードの送信電力をゼロまたは最小送信電力に設定することにより前記送信パラメータを調整する、請求項32に記載のコンピュータプログラム。
【請求項３７】
前記送信パラメータが前記フェムトノードの送信電力である、請求項32に記載のコンピュータプログラム。
【請求項３８】
前記少なくとも1つのコンピュータに測定させるための前記コードが、送受信機またはネットワークリスニングモジュールを使用して前記RSSIを測定する、請求項32に記載のコンピュータプログラム。
【請求項３９】
前記少なくとも1つのコンピュータに、受信された構成、前記フェムトノードの位置、隣接するフェムトノードの数、または、対応するパフォーマンスメトリックを有するしきい値RSSIの履歴から、前記しきい値RSSIを決定させるためのコードをさらに含む、請求項32に記載のコンピュータプログラム。
【請求項４０】
前記少なくとも1つのコンピュータに測定させるための前記コードが、タイマまたは前記フェムトノードによって検出されたイベントに基づいて前記RSSIを測定する、請求項32に記載のコンピュータプログラム。
【請求項４１】
前記イベントが、前記フェムトノードで検出されたRSSIの変化、前記フェムトノードまたは1つもしくは複数の隣接するフェムトノードで検出または指示された負荷の変化、あるいは新しい隣接するフェムトノードが前記ワイヤレスネットワーク内で通信することのうちの少なくとも1つである、請求項40に記載のコンピュータプログラム。
【請求項４２】
ワイヤレスネットワーク内に配置されたフェムトノードに対して電力制御を実行するための装置であって、
フェムトノードで測定された受信信号強度インジケータ(RSSI)とノイズフロアおよびしきい値RSSIとの間の比較を判定するための信号エネルギー測定コンポーネントと、
前記比較に基づいて前記フェムトノードの送信パラメータを調整するための送信調整コンポーネントと
を備える、装置。
【請求項４３】
前記RSSIが前記ノイズフロアよりも下であることを前記比較が指示した場合、前記送信調整コンポーネントが、前記フェムトノードの送信電力を最大送信電力に設定する、請求項42に記載の装置。
【請求項４４】
前記RSSIが前記ノイズフロアよりも上であり、前記しきい値RSSIよりも下であることを前記比較が指示した場合、前記送信調整コンポーネントが、前記フェムトノードの送信電力を、前記RSSI、前記ノイズフロア、および前記しきい値RSSIの関数として修正する、請求項42に記載の装置。
【請求項４５】
前記送信調整コンポーネントが、最大送信電力および最小送信電力にさらに基づいて前記フェムトノードの前記送信電力を修正する、請求項44に記載の装置。
【請求項４６】
前記RSSIが前記しきい値RSSIよりも上であることを前記比較が指示した場合、前記送信調整コンポーネントが、前記フェムトノードの送信電力をゼロまたは最小送信電力に設定する、請求項42に記載の装置。
【請求項４７】
前記送信パラメータが前記フェムトノードの送信電力である、請求項42に記載の装置。
【請求項４８】
前記信号エネルギー測定コンポーネントが、ダウンリンクチャネルの前記RSSIを決定するための送受信機またはネットワークリスニングモジュールコンポーネントを備える、請求項42に記載の装置。
【請求項４９】
前記送信調整コンポーネントが、受信された構成、前記フェムトノードの位置、隣接するフェムトノードの数、または、対応するパフォーマンスメトリックを有するしきい値RSSIの履歴から、前記しきい値RSSIを決定する、請求項42に記載の装置。
【請求項５０】
前記信号エネルギー測定コンポーネントが、タイマまたは前記フェムトノードによって検出されたイベントに基づいて前記RSSIを測定する、請求項42に記載の装置。
【請求項５１】
前記イベントが、前記フェムトノードで検出されたRSSIの変化、前記フェムトノードまたは1つもしくは複数の隣接するフェムトノードで検出または指示された負荷の変化、あるいは新しい隣接するフェムトノードが前記ワイヤレスネットワーク内で通信することのうちの少なくとも1つである、請求項50に記載の装置。
【請求項５２】
前記送信調整コンポーネントが、変調符号化方式、周波数/時間リソース利用量、アクセスモード、アンテナ選択、またはアンテナパターン選択を調整する、請求項42に記載の装置。
【発明の詳細な説明】
【技術分野】
【０００１】
米国特許法第119条に基づく優先権の主張
本特許出願は、本出願の譲受人に譲渡され、参照により本明細書に明確に組み込まれている、2011年6月20日に出願された「AUTONOMOUSLY CONTROLLED WIRELESS ACCESS POINT」と題する米国仮出願第61/499,036号の優先権を主張するものである。
【０００２】
以下の説明は、一般に、ワイヤレスネットワーク通信に関し、より詳細には、ワイヤレスネットワーク内の低電力基地局の配置に関する。
【背景技術】
【０００３】
ワイヤレス通信システムは、たとえば、音声、データなどの様々なタイプの通信コンテンツを供給するために広く配置されている。典型的なワイヤレス通信システムは、使用可能なシステムリソース(たとえば、帯域幅、送信電力、...)を共有することによって、複数のユーザとの通信をサポートすることができる多元接続システムであり得る。そのような多元接続システムの例には、符号分割多元接続(CDMA)システム、時分割多元接続(TDMA)システム、周波数分割多元接続(FDMA)システム、直交周波数分割多元接続(OFDMA)システムなどが含まれ得る。加えて、そのようなシステムは、第3世代パートナーシッププロジェクト(3GPP)(たとえば、3GPP LTE(ロングタームエボリューション)/LTE-Advanced)、ウルトラモバイルブロードバンド(UMB)、エボリューションデータオプティマイズド(EV-DO)などの規格に準拠することができる。
【０００４】
一般に、ワイヤレス多元接続通信システムは、複数のモバイルデバイス向けの通信を同時にサポートすることができる。各モバイルデバイスは、順方向リンクおよび逆方向リンク上の伝送を介して、1つまたは複数の基地局と通信することができる。順方向リンク(またはダウンリンク)は、基地局からモバイルデバイスまでの通信リンクを指し、逆方向リンク(またはアップリンク)は、モバイルデバイスから基地局までの通信リンクを指す。さらに、モバイルデバイスと基地局との間の通信は、単入力単出力(SISO)システム、多入力単出力(MISO)システム、多入力多出力(MIMO)システムなどを介して確立することができる。
【０００５】
従来の基地局を補足するために、さらなる限定された基地局を配置して、より強固なワイヤレスカバレージをモバイルデバイスに提供することができる。たとえば、ワイヤレス中継局および(一般にホームノードBまたはホームeNBと呼ばれ、H(e)NB、フェムトノード、ピコノードなどと総称できる)低電力基地局は、漸進的な容量の増大、より豊かなユーザ体験、屋内または他の固有の地理的カバレージなどのために配置することができる。そのような低電力基地局は、モバイル事業者のネットワークへのバックホールリンクを提供できるブロードバンド接続(たとえば、デジタル加入者回線(DSL)ルータ、ケーブルまたは他のモデムなど)を介して、インターネットに接続することができる。したがって、たとえば、低電力基地局は、ユーザの家庭に配置されて、ブロードバンド接続を介した1つまたは複数のデバイスへのモバイルネットワークアクセスを提供することができる。そのような基地局の配置は計画外なので、複数のステーションが互いの近傍内に配置された場合、低電力基地局は互いに干渉する可能性がある。
【発明の概要】
【課題を解決するための手段】
【０００６】
以下で、1つまたは複数の態様の基本的理解を与えるために、そのような態様の簡略化された概要を提示する。この概要は、すべての考察された態様の包括的な概観ではなく、すべての態様の主要または重要な要素を識別するものではなく、いずれかまたはすべての態様の範囲を定めるものでもない。その唯一の目的は、後で提示されるより詳細な説明への導入として、1つまたは複数の態様のいくつかの概念を簡略化された形で提示することである。
【０００７】
1つまたは複数の態様およびそれらの対応する開示によれば、本開示は、ワイヤレスネットワーク内の1つまたは複数の低電力基地局の送信電力を較正することに関して様々な態様を記載する。たとえば、所与の基地局用の送信電力は、基地局によって実行された信号エネルギー測定値に基づいて構成することができる。送信電力は、そのようなメトリック値をしきい値、ノイズフロアなどと比較することに基づいて、基地局用に計算することができ、送信電力は調整されて、特定のエリア内のカバレージを提供し、ネットワークのパフォーマンスメトリックを実現し、隣接する基地局等への干渉を軽減することができる。加えて、集中型エンティティは、たとえば送信電力を計算することができる。
【０００８】
一態様によれば、ワイヤレスネットワーク内に配置されたフェムトノードに対して電力制御を実行するための方法が提供される。その方法は、フェムトノードで受信信号強度インジケータ(RSSI)を測定すること、RSSIとノイズフロアおよびしきい値RSSIとの間の比較を判定すること、ならびに比較に基づいてフェムトノードの送信パラメータを調整することを含む。
【０００９】
別の態様では、ワイヤレスネットワーク内に配置されたフェムトノードに対して電力制御を実行するための装置が提供される。その装置は、フェムトノードでRSSIを測定し、RSSIとノイズフロアおよびしきい値RSSIとの間の比較を判定するように構成された、少なくとも1つのプロセッサを含む。少なくとも1つのプロセッサは、比較に基づいてフェムトノードの送信パラメータを調整するようにさらに構成される。その装置は、少なくとも1つのプロセッサに結合されたメモリをさらに含む。
【００１０】
さらに別の態様では、ワイヤレスネットワーク内に配置されたフェムトノードに対して電力制御を実行するための装置が提供される。その装置は、フェムトノードで測定されたRSSIとノイズフロアおよびしきい値RSSIとの間の比較を判定するための手段を含む。その装置は、比較に基づいてフェムトノードの送信パラメータを調整するための手段をさらに含む。
【００１１】
さらに別の態様では、少なくとも1つのコンピュータに、フェムトノードでRSSIを測定させるためのコード、ならびに、少なくとも1つのコンピュータに、RSSIとノイズフロアおよびしきい値RSSIとの間の比較を判定させるためのコードを有する非一時的コンピュータ可読媒体を含む、ワイヤレスネットワーク内に配置されたフェムトノードに対して電力制御を実行するためのコンピュータプログラム製品が提供される。コンピュータ可読媒体は、少なくとも1つのコンピュータに、比較に基づいてフェムトノードの送信パラメータを調整させるためのコードをさらに含む。
【００１２】
さらに、一態様では、フェムトノードで測定されたRSSIとノイズフロアおよびしきい値RSSIとの間の比較を判定するための信号エネルギー測定コンポーネントを含む、ワイヤレスネットワーク内に配置されたフェムトノードに対して電力制御を実行するための装置が提供される。その装置は、比較に基づいてフェムトノードの送信パラメータを調整するための送信調整コンポーネントをさらに含む。
【００１３】
上記および関連の目的を達成するために、1つまたは複数の態様は、以下で十分に記載され特許請求の範囲で具体的に指摘される特徴を含む。以下の説明および添付の図面は、1つまたは複数の態様の特定の例示的な特徴を詳細に説明する。しかしながら、これらの特徴は、様々な態様の原理を利用できる様々な方法のうちのいくつかを示すものにすぎず、この説明は、そのようなすべての態様およびそれらの均等物を含むものとする。
【００１４】
開示された態様が、開示された態様を限定するためではなく例示するために与えられた添付の図面とともに以下に記載され、同様の記号は同様の要素を意味する。
【図面の簡単な説明】
【００１５】
【図１】複数のフェムトセルを使用するための例示的なワイヤレス通信システムのブロック図である。
【図２】測定された信号エネルギーパラメータに基づいてフェムトノードの送信パラメータを調整するための例示的なシステムのブロック図である。
【図３】受信された信号エネルギーパラメータに基づいて1つまたは複数のフェムトノードの送信パラメータを調整するための例示的なシステムのブロック図である。
【図４】1つまたは複数の信号エネルギーパラメータに基づいて送信パラメータを調整するための例示的な方法の一態様のフローチャートである。
【図５】1つまたは複数の信号エネルギーパラメータに基づいて送信パラメータ調整を指示するための例示的な方法の一態様のフローチャートである。
【図６】本明細書に記載された態様によるシステムのブロック図である。
【図７】1つまたは複数の信号エネルギーパラメータに基づいて送信パラメータを調整するシステムの一態様のブロック図である。
【図８】本明細書で説明された様々な態様によるワイヤレス通信システムの一態様のブロック図である。
【図９】本明細書に記載された様々なシステムおよび方法と連携して使用できるワイヤレスネットワーク環境の一態様の概略ブロック図である。
【図１０】本明細書内の態様を実装できる、いくつかのデバイスをサポートするように構成された例示的なワイヤレス通信システムを示す図である。
【図１１】ネットワーク環境内のフェムトセルの配置を可能にする例示的な通信システムの説明図である。
【図１２】いくつかの画定されたトラッキングエリアを有するカバレージマップの一例を示す図である。
【発明を実施するための形態】
【００１６】
次に、図面を参照して様々な態様が記載される。以下の記述では、説明の目的で、1つまたは複数の態様の完全な理解を与えるために、多数の具体的な詳細が記載される。しかしながら、そのような態様をこれらの具体的な詳細なしに実践できることは明白であり得る。
【００１７】
本明細書でもっと先に記載されるように、フェムトノードなどの低電力基地局の送信電力は、ワイヤレスネットワーク内のフェムトノードで測定された信号品質に基づいて較正することができる。たとえば、フェムトノードは、1つまたは複数の受信信号の受信信号強度インジケータ(RSSI)、パイロット振幅(Ecp)、パイロット信号振幅対受信信号レベル比(Ecp/Io)、信号対ノイズ比(SNR)などの信号エネルギーパラメータを測定することができる。フェムトノードの送信電力は、それに応じて、パラメータを1つまたは複数のしきい値、ノイズフロアなどと比較することに基づいて設定される。一例では、集中型エンティティは、1つまたは複数のフェムトノードから受信できる測定されたパラメータに基づいて、1つまたは複数のフェムトノードに対して送信電力を設定することができる。どちらの場合でも、しきい値は所与のフェムトノード用に調整されて、特定のエリア内のカバレージを提供し、ネットワークパフォーマンスを実現することなどを行うことができる。さらに、他のフェムトノードの追加、デバイスの移動度などに基づいて無線状態が変化する可能性があるので、送信電力調整は1つまたは複数のフェムトノードについて周期的に実行することができる。
【００１８】
本明細書で参照される低電力基地局は、フェムトノード、ピコノード、マイクロノード、ホームノードBもしくはホーム発展型ノードB(H(e)NB)、リレー、および/または他の低電力基地局を含むことができ、これらの用語の1つを使用して本明細書では呼ぶことができるが、これらの用語の使用は概して低電力基地局を包含するものとする。たとえば、低電力基地局は、ワイヤレスワイドエリアネットワーク(WWAN)に関連するマクロ基地局と比較して、比較的低い電力で送信する。したがって、低電力基地局のカバレージエリアは、マクロ基地局のカバレージエリアよりも実質的に小さい可能性がある。さらに、たとえば、低電力基地局は、ユーザの家庭、オフィス、他の会場、ユーティリティポール、公共輸送、および/または実質的に任意のエリアに配置されて、いくつかのデバイスをサービスすることができる。たとえば、所与の低電力基地局は、基地局用の筐体または通常のマウンティングプラットフォームに取り付けることができるアンテナアレイより小規模のアンテナアレイを使用することができる。
【００１９】
本出願で使用する、「コンポーネント」、「モジュール」、「システム」などの用語は、限定はしないが、ハードウェア、ファームウェア、ハードウェアとソフトウェアの組合せ、ソフトウェア、または実行中のソフトウェアなどのコンピュータ関連エンティティを含むものとする。たとえば、コンポーネントは、プロセッサ上で実行されるプロセス、プロセッサ、オブジェクト、実行ファイル、実行スレッド、プログラム、および/またはコンピュータであり得るが、これらに限定されない。例として、コンピューティングデバイス上で実行されるアプリケーションと、そのコンピューティングデバイスの両方が、コンポーネントであり得る。1つまたは複数のコンポーネントはプロセスおよび/または実行スレッド内に常駐することができ、1つのコンポーネントは1つのコンピュータ上に配置され、かつ/または2つ以上のコンピュータ間に分散される場合がある。加えて、これらのコンポーネントは、そこに記憶された様々なデータ構造を有する様々なコンピュータ可読媒体から実行することができる。これらのコンポーネントは、信号により、ローカルシステム、分散システム内の別のコンポーネントと対話し、かつ/またはインターネットなどのネットワークを介して他のシステムと対話する1つのコンポーネントからのデータなどの、1つまたは複数のデータパケットを有する信号などにより、ローカルプロセスおよび/またはリモートプロセスによって通信することができる。
【００２０】
さらに、有線端末またはワイヤレス端末であり得る端末に関して、様々な態様が本明細書に記載される。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器(UE)などと呼ぶこともできる。ワイヤレス端末は、セルラー電話、衛星電話、コードレス電話、セッション開始プロトコル(SIP)電話、ワイヤレスローカルループ(WLL)局、携帯情報端末(PDA)、ワイヤレス接続機能を有するハンドヘルドデバイス、コンピューティングデバイス、タブレット、スマートブック、ネットブック、またはワイヤレスモデムに接続された他の処理デバイスなどであり得る。さらに、基地局に関して、様々な態様が本明細書に記載される。基地局は、ワイヤレス端末と通信するために利用することができ、アクセスポイント、ノードB、発展型ノードB(eNB)、または何らかの他の用語で呼ばれる場合もある。
【００２１】
さらに、「または」という用語は、排他的な「または」ではなく、包括的な「または」を意味するものとする。すなわち、別段の規定がない限り、または文脈から明らかでない限り、「XはAまたはBを使用する」という語句は、自然な包括的並び替えのいずれかを意味するものとする。すなわち、「XはAまたはBを使用する」という語句は、以下の例のいずれかによって満足される。XはAを使用する、XはBを使用する、または、XはAとBの両方を使用する。加えて、本出願および添付の特許請求の範囲で使用される冠詞「a」および「an」は、別段の規定がない限り、または単数形を対象とすることが文脈から明らかでない限り、概して「1つまたは複数」を意味するものと解釈すべきである。
【００２２】
本明細書に記載された技法は、CDMA、TDMA、FDMA、OFDMA、SC-FDMAおよび他のシステムなどの様々なワイヤレス通信システムに使用することができる。「システム」という用語と「ネットワーク」という用語は、しばしば互換的に使用される。CDMAシステムは、Universal Terrestrial Radio Access(UTRA)、cdma2000などの無線技術を実装することができる。UTRAは、広帯域CDMA(WCDMA(登録商標))およびCDMAの他の変形形態を含む。さらに、cdma2000は、IS-2000規格、IS-95規格およびIS-856規格をカバーする。TDMAシステムは、Global System for Mobile Communications(GSM(登録商標))などの無線技術を実装することができる。OFDMAシステムは、発展型UTRA(E-UTRA)、ウルトラモバイルブロードバンド(UMB)、IEEE802.11(Wi-Fi)、IEEE802.16(WiMAX)、IEEE802.20、Flash-OFDM(登録商標)などの無線技術を実装することができる。UTRAおよびE-UTRAは、Universal Mobile Telecommunication System(UMTS)の一部である。3GPPロングタームエボリューション(LTE)は、ダウンリンク上ではOFDMAを利用し、アップリンク上ではSC-FDMAを利用する、E-UTRAを使用するUMTSのリリースである。UTRA、E-UTRA、UMTS、LTE/LTE-AdvancedおよびGSM(登録商標)は、「第3世代パートナーシッププロジェクト」(3GPP)と称する組織からの文書に記載されている。加えて、cdma2000およびUMBは、「第3世代パートナーシッププロジェクト2」(3GPP2)と称する組織からの文書に記載されている。さらに、そのようなワイヤレス通信システムは、不対無認可スペクトル、802.xxワイヤレスLAN、Bluetooth(登録商標)および任意の他の短距離または長距離のワイヤレス通信技法をしばしば使用する、ピアツーピア(たとえば、モバイルツーモバイル)のアドホックネットワークシステムをさらに含むことができる。
【００２３】
いくつかのデバイス、コンポーネント、モジュールなどを含むことができるシステムに関して、様々な態様または特徴が提示される。様々なシステムが、さらなるデバイス、コンポーネント、モジュールなどを含む場合があり、かつ/または図に関して説明されるデバイス、コンポーネント、モジュールなどのすべてを含むとは限らないことを、理解および諒解されたい。これらの手法の組合せも使用することができる。
【００２４】
図1は、WAN106を介して事業者コアネットワーク104と通信している、複数のフェムトノード102a〜dまたは他の低電力基地局を含む、例示的な自律的に制御されたワイヤレス通信システム100を示す。記載されたように、フェムトノード102a〜dは、比較的低い電力の機器を備える場合があり、従来の送信タワーを備えていない場合がある。各フェムトノード102a〜dは、計画外の位置に、任意の発生順に設置されアクティブ化される場合がある。たとえば、ネットワーク事業者は、フェムトノードを様々な異なるサードパーティに提供することができる。ネットワーク事業者はシステム100にいくつかのフェムトノードを設置し作動させることができるが、各フェムトノードは、本明細書に記載されたように自律的に制御することができ、フレキシブルでアドホックな方式でシステム100に加えたり、システム100から取り除くことができる。
【００２５】
アクティブ化されたフェムトノード102a〜dの各々は、対応するカバレージエリア112a〜d内に位置するUE110などのUEにサービスを提供することができる。たとえば、カバレージエリア112aはフェムトノード102aによって提供することができる、以下同様。カバレージエリア112a〜dは、一定または一様な幾何学的形状を有することができず、エリア内の地勢のトポロジーおよび障害物の存在または不在などの局所要因に基づいて、形状および範囲が変化する場合があることを諒解されたい。たとえば、フェムトノード102a〜dは、観測された信号エネルギーパラメータに基づいて送信電力を計算することなどの、本明細書でフェムトノード108に関して記載された態様に基づいて、送信電力を初期化してカバレージエリア112a〜dを確立することができる。送信電力は、同様に最小送信電力および/または最大送信電力に従って初期化することができることを諒解されたい。
【００２６】
フェムトノード108は、フェムトノード102a〜dを含む既存のネットワークの内部に配置することができる。電源が投入され、アクティブ化され、などされると、フェムトノード108は、対応するカバレージエリア114内のワイヤレス通信システム100にアクセスするために使用することができる。カバレージエリア114は、フェムトノード108で1つまたは複数の信号エネルギーパラメータを測定することに基づいて決定できる、フェムトノード108の送信電力に関係する。たとえば、フェムトノード108は、フェムトノード102a〜dが動作するネットワークに専用のチャネルを介して、RSSI、Ecp、Ecp/Io、SNRなどを測定することができる。信号エネルギーパラメータに基づいて、フェムトノード108は、フェムトノード102a〜dおよび/またはそれと通信するUEにもたらされる潜在的な干渉を軽減するように試みながら、送信電力を初期化または調整して、十分なカバレージを提供することができる。たとえば、フェムトノード108は、その送受信機を使用することにより、フェムトノード108内に共同設置されたネットワークリスニングモジュール(NLM)を使用することにより、フェムトノード108と通信する1つもしくは複数のUEから受信された測定値に基づいて、かつ/または同様の方法で、信号エネルギーパラメータを測定することができる。
【００２７】
いずれの場合にも、フェムトノード108は、測定された信号エネルギーパラメータを1つまたは複数のしきい値と比較することに部分的に基づいて、送信電力を設定する。しきい値は調整されて、フェムトノードの送信電力の初期化または調整を介して、所望のネットワークの伝搬および/またはパフォーマンスを実現することができる。したがって、たとえば、ネットワーク環境がフェムトノードの追加または除去、UEの移動度、物理的位置の変化などに起因して変化するので、フェムトノード108およびフェムトノード102a〜dは、それらのそれぞれの送信電力を周期的に更新することができる。さらに、フェムトノード108およびフェムトノード102a〜dは、タイマ、または所与のフェムトノードでの局所的なイベント(たとえば、しきい値を超える信号エネルギーもしくはバックホール品質の変化の検出、フェムトノードでの負荷の変化の検出)を含む他のイベント、他のイベントの通知(たとえば、バックホールリンクを介して、もしくはサービスされるUEから受信された新しいフェムトノードの通知)などに基づいて、送信電力を更新することができる。
【００２８】
他の例では、フェムトノード108およびフェムトノード102a〜dなどは、測定された信号エネルギーパラメータならびに/または他のパラメータ(たとえば、負荷パラメータ、フェムトノード108もしくはフェムトノード102a〜dの位置、隣接するフェムトノードの数および電力、等)を、コアネットワーク104の一部であり得る集中型エンティティ(図示せず)に報告することができる。この例では、集中型エンティティは、送信電力の決定を実行し、それに応じてフェムトノード108および/または他のフェムトノードに送信電力または関係する調整値を通信することができる。この点について、複数のフェムトノードの信号エネルギー測定値は、負荷パラメータ、位置、隣接するノードの数および電力、ならびに/または同様のパラメータなどの他のパラメータへの追加または代替として、フェムトノード108などの1つのフェムトノードの送信電力を調整するために考慮することができる。
【００２９】
図2を参照すると、信号エネルギー測定値に基づいてフェムトノードの送信パラメータの調整を容易にする、例示的なワイヤレス通信システム200が示される。システム200は、マクロ/フェムトノード204もしくはUE206の信号、マクロ/フェムトノード204もしくはUE206によって報告された信号測定値、および/または同様のものを測定できるフェムトノード202を含む。フェムトノード202は、記載されたような、実質的に任意の低電力基地局、またはその一部分、(たとえば、ピアツーピアモードまたはアドホックモードで他のUEと通信する)UEなどであり得る。マクロ/フェムトノード204は、マクロノード、ピコノード、フェムトノード、モバイル基地局、UE、それらの一部分などであり得る。UE206は、モバイル端末、固定デバイス、モデム(もしくは他のテザーデバイス)、それらの一部分、ならびに/または、フェムトノードおよび/もしくはマクロノードとワイヤレス通信する実質的に任意のデバイスであり得る。
【００３０】
フェムトノード202は、ある期間にわたって信号エネルギーを測定するための信号エネルギー測定コンポーネント208、および、信号エネルギー測定値に基づいてフェムトノード202の送信電力または他の送信パラメータを修正するための送信調整コンポーネント210を含むことができる。信号エネルギー測定コンポーネント208は、1つもしくは複数のノード(たとえば、マクロノードもしくはフェムトノードもしくはワイヤレスネットワークによって利用される周波数で動作する他のノード)から信号を受信するためのNLMコンポーネント212、および/あるいは、フェムトノード202と通信する1つもしくは複数のUEから1つもしくは複数の信号エネルギー測定値または他のパラメータを取得するためのパラメータ受信コンポーネント214を含むことができる。
【００３１】
一例によれば、信号エネルギー測定コンポーネント208は、フェムトノード202に近い環境内で測定された信号エネルギー216を決定するための1つもしくは複数のパラメータを取得することができる。たとえば、これは、フェムトノード202の初期化または電力供給に基づいて、1つもしくは複数の信号エネルギーパラメータまたは他の無線周波RFパラメータにおいて検出された変化に基づいて、タイマまたは(フェムトノード202での負荷において検出された変化、ワイヤレスネットワークに追加された別のフェムトノードの通知などの)他のイベントに基づいて、発生する可能性がある。たとえば、信号エネルギー216の測定値は、受信信号強度インジケータ(RSSI)、信号対ノイズ比(SNR)、信号対干渉ノイズ比(SINR)、パイロット振幅(Ecp)、パイロット信号振幅対受信信号レベル比(Ecp/Io)、または他の信号エネルギー測定値に関係する可能性がある。
【００３２】
一例では、フェムトノード202のNLMコンポーネント212または送受信機は、ある期間にわたって信号エネルギー216を測定することができ、このことは、マクロ/フェムトノード204、UE206、および/または期間中に観測されたさらなる隣接するノードからの信号に関するエネルギーの測定を含むことができる。別の例では、パラメータ受信コンポーネント214は、ある期間にわたってUE206、または、フェムトノード202によってサービスされる1つもしくは複数の他のUEによって実行された、信号エネルギー216の測定値を取得することができる。たとえば、信号エネルギー測定コンポーネント208は、ワイヤレスネットワーク内のダウンリンクチャネルを介して、信号エネルギー216を取得または場合によっては測定することができる。この点について、送信パラメータは、測定された信号エネルギーに基づいて調整されて、ダウンリンクチャネルを介して通信する他のノードに対する干渉を軽減することができる。いずれの場合にも、送信調整コンポーネント210は、信号エネルギー216に部分的に基づいて、送信パラメータを調整することができる。
【００３３】
たとえば、送信調整コンポーネント210は、信号エネルギーに基づいて、送信電力220を計算するか、あるいは、変調符号化方式(MCS)、周波数/時間リソース利用量、アクセスモード(たとえば、フェムトノードに対するオープン、クローズ、もしくはハイブリッドのアクセスモード)、アンテナ選択、アンテナパターン選択、および/または同様のものなどの他のパラメータを決定することができる。一例では、送信調整コンポーネント210は、信号エネルギー216を1つまたは複数のしきい値と比較して、送信パラメータ調整値を決定する。たとえば、フェムトノード202は、フェムトノード202が送信電力を調整して補償することなしに遭遇することを許されたノイズフロア222を維持することができる。加えて、フェムトノード202は、送信電力220の調整を決定するための信号エネルギーしきい値224を維持することができる。送信調整コンポーネント210は、ハードコーディングされるか、または場合によっては構成されたパラメータから、ノイズフロア222、信号エネルギーしきい値224、または他のしきい値を決定することができる。別の例では、送信調整コンポーネント210がそのようなしきい値を調整することができるか、またはそのようなしきい値は、事業者によって構成されて、所望のネットワークのカバレージもしくはパフォーマンスを実現することができる。この点について、送信調整コンポーネント210は、フェムトノード202の位置、隣接するフェムトノードの数、隣接するフェムトノードの観測された信号エネルギー、前のしきい値を使用するパフォーマンスメトリックの履歴に基づいて決定されたパラメータ、および/または同様のもののうちの少なくとも1つに基づいて、しきい値を調整することができる。
【００３４】
特定の一例では、送信調整コンポーネント210は、ノイズフロア222に対してそれぞれ信号エネルギー216を測定する。信号エネルギー216がノイズフロアより下である場合、送信調整コンポーネント210は送信電力220を
Ptx=Pmax
と設定することができる。
ここで、Ptxは送信電力220であり、Pmaxは最大送信電力である。たとえば、Pmaxはハードコーディングされるか、もしくは場合によってはフェムトノード202の構成されたパラメータであるか、かつ/または、(たとえば、本明細書でさらに記載されたように、フェムトノードの位置、隣接するフェムトノードの数などに基づいて)フェムトノード202で、しきい値に関して上述されたように調整することができる。信号エネルギー216がノイズフロア222を超えるとき、この例では、送信調整コンポーネント210は、信号エネルギー216を信号エネルギーしきい値224と比較することができる。信号エネルギー216が信号エネルギーしきい値224より下である場合、送信調整コンポーネント210は、たとえば以下の式に従って送信電力220を設定することができる。
【００３５】
【数１】
0005724037.tif 000002
【００３６】
ここで、Pminは最小送信電力であり、RSSIthresはRSSIしきい値であり得る信号エネルギーしきい値224であり、RSSItmeasは測定されたRSSIであり得る、測定された、または場合によっては受信された信号エネルギー216であり、Noはノイズフロア222である。この場合、送信電力220を決定するためにPminとPmaxとの間の他の補間(線形またはそれ以外)が使用できることを諒解されたい。信号エネルギー216が信号エネルギーしきい値224を超える場合、たとえば、送信調整コンポーネント210は、少なくともある期間送信電力220を送信しないように決定することができるか、または場合によっては送信電力220をゼロもしくはPminに設定することができる。上記式において信号エネルギー216および対応する信号エネルギーしきい値224としてRSSIが図示および記載されたが、記載されたように、SNR、SINR、Ecp、Ecp/Io、または他の測定値がRSSIの代わりに、またはRSSIに加えて使用できることを諒解されたい。
【００３７】
したがって、上述された式を使用して、送信電力220は、マクロ/フェムトノード204などの隣接するノードが存在する場合比較的低くなる可能性があるが、または不十分な既存のカバレージを有するエリアに配置されたときは比較的高くなる可能性がある。この点について、信号エネルギーしきい値224の値は、近傍のセル間の最小の間隔を決定することができ、様々な環境に対して調整することができる。たとえば、郊外の環境では、建造物の窓の近くに配置されたフェムトノード202から観測されたRSSIは、競合するフェムトノードの数がより少ないため、フェムトノード202から大きく離れていても比較的高い可能性がある。しかしながら、このフェムトノード202は、容量制限のためにエリア内のすべてのUEにサービスすることはできない可能性がある。したがって、この例では、郊外エリア内の信号エネルギーしきい値224は高密度市街地エリアよりも高い可能性がある。
【００３８】
別の例では、フェムトノード202が高密度市街地エリア内にある場合、信号エネルギーしきい値224は低く設定できるので、信号エネルギー216はほとんど常にしきい値224を超え、したがって送信調整コンポーネント210は、ゼロの送信電力220を維持するか、フェムトノード202を送信から効率的に予防する。一例では、送信調整コンポーネント210は、(たとえば、絶対または1つもしくは複数の他のフェムトノードに対する)位置、フェムトノード202の指定された距離内にあるフェムトノードの決定もしくは受信された数、隣接するフェムトノードから受信されたRSSIしきい値、および/または同様のものなどの、エリアの1つまたは複数のパラメータの検出に基づいて、信号エネルギーしきい値224を設定することができる。
【００３９】
さらに、一例では、経時的なUEの移動度および/またはセルの負荷の変化は、動的なネットワーク内で生じる可能性があり、その結果、さらなるUEが収容されるか、またはフェムトノード202および隣接するフェムトノードから遠ざかるにつれて、RSSIはフェムトノードの間で変化する可能性がある。この例では、信号エネルギーの測定および送信パラメータの調整は、タイマ、あるいは、フェムトノード202でのRSSIにおける判定された変化、(たとえば、マクロ/フェムトノード204もしくは他のネットワークコンポーネント、UE206、および/または同様のものから)フェムトノード202で受信された新しい隣接するフェムトノードの指示、フェムトノード202または他の隣接するフェムトノードでの負荷において検出または指示された変化などの、検出されたイベントに基づいて、周期的に発生する可能性がある。
【００４０】
他の例では、送信調整コンポーネント210は、信号エネルギー216をしきい値と比較してMCSを決定することができる。たとえば、信号エネルギー216がしきい値より下である場合、送信調整コンポーネント210は、信号エネルギー216がしきい値より下である場合よりも増加した数のリソースにわたって、データを変調することを可能にするMCSを選択することができる。同様に、送信調整コンポーネント210は、信号エネルギー216がしきい値より下である場合、周波数/時間リソース利用量を増加させて、所望のネットワーク伝搬を実現することができる。
【００４１】
他の例では、送信調整コンポーネント210は、信号エネルギー216をしきい値と比較することに基づいて、アクセスモード(たとえば、フェムトノードに対するオープン、クローズ、またはハイブリッドのアクセスモード)を修正することができる。たとえば、フェムトノードは、実質的に任意のUEがフェムトノードへのアクセスを許可されたオープンアクセスモード、いくつかのUEだけがフェムトノードへのアクセスを許可されたクローズアクセスモード(たとえば、本明細書でもっと先に記載されるような限定加入者グループ(CSG)内のUE)、または、フェムトノードが所与のUEに変化するレベルのアクセスを提供できるハイブリッドアクセスモード(たとえば、CSG内にないUEとは対照的にCSG内のUEへの改善されたアクセス)で動作することができる。他のノードからの信号エネルギー216がしきい値より下である場合、これはカバレージギャップを示し、したがって送信調整コンポーネント210は、オープンモードでフェムトノード202を動作させることを選んで、カバレージギャップ内のUEにサービスすることができる。さらに、送信調整コンポーネント210は、信号エネルギー216のしきい値比較に従って、アンテナ選択、アンテナパターン選択(たとえば、通信に使用されるアンテナの数および/もしくは特定の通信用アンテナを選択すること)、ならびに/または同様のものを修正することができる。1つのしきい値が記載されたが、複数のしきい値を使用して様々な送信パラメータを決定できること、ならびに/または、送信調整コンポーネント210は信号エネルギー216および/もしくはそのしきい値からの差分の関数として送信パラメータを決定できることを諒解されたい。
【００４２】
図3を参照すると、1つまたは複数のフェムトノードに送信調整情報を供給するための例示的なワイヤレス通信システム300が示される。システム300は、記載されたように、ワイヤレスネットワーク内で通信するフェムトノード302を含む。システム300はまた、記載されたように、フェムトノード302が信号エネルギー情報を受信できるマクロ/フェムトノード204およびUE206を含む。システム300はさらに、フェムトノード302および/またはマクロ/フェムトノード204などのワイヤレスネットワーク内の1つまたは複数のフェムトノードと通信して、それらに送信調整情報を供給することができる集中型エンティティ304を含む。
【００４３】
たとえば、集中型エンティティ304は、コアワイヤレスネットワーク内のH(e)NBゲートウェイもしくは他のフェムトノードゲートウェイ、ワイヤレスネットワーク内の別のサポートノード、同様のネットワーク内の他のフェムトノードもしくはフェムトノードのグルーピング(たとえば、所与の限定加入者グループ(CSG)内のノード)に送信調整情報を供給することを担当する特定のフェムトノード、1つもしくは複数のネットワーク内で動作するサーバもしくは他のコンピューティングデバイス、および/または同様のものであり得る。フェムトノード302および/またはマクロ/フェムトノード204は、集中型エンティティ304がその内部で動作するワイヤレスネットワークへのバックホール接続または他の接続を介して、集中型エンティティ304と通信することができる。
【００４４】
フェムトノード302は、記載されたように、フェムトノード302の近くの信号エネルギーに関係する1つまたは複数のパラメータを決定するための信号エネルギー測定コンポーネント208、および、信号エネルギー測定値に基づいて1つまたは複数の送信パラメータを修正するための送信調整コンポーネント210を含む。
【００４５】
集中型エンティティ304は、場合によっては、フェムトノードからの信号エネルギー測定値に関係する1つもしくは複数のパラメータを取得するための信号エネルギー受信コンポーネント306、および/または、1つもしくは複数のパラメータに基づいて送信調整値をフェムトノード302に供給するための送信調整指示コンポーネント308を含む。集中型エンティティ304はまた、場合によっては、送信調整のメカニズムまたはアルゴリズムを1つまたは複数のフェムトノードに提供して、均一な送信調整制御を保証するための送信調整執行コンポーネント310を含む。
【００４６】
一例によれば、信号エネルギー測定コンポーネント208は、上述されたように、NLMコンポーネント、送受信機、UE206、または他のノードを介して取得できる、RSSI、SNR、SINR、Ecp、Ecp/Io、および/または同様のものなどの1つまたは複数の信号エネルギーパラメータの測定を実行するか、または場合によっては測定値を受信することができる。信号エネルギー測定コンポーネント208は、パラメータを集中型エンティティ304に供給することができる。信号エネルギー受信コンポーネント306は、フェムトノード302からの信号エネルギー測定値に関係する1つまたは複数のパラメータを取得することができる。他の例では、信号エネルギー受信コンポーネント306は、1つまたは複数のフェムトノードと通信して、パラメータを測定するか、UE206などのUEからパラメータを取得することができる。加えて、信号エネルギー受信コンポーネント306は、複数のフェムトノードからパラメータを受信することができる。
【００４７】
一例では、送信調整指示コンポーネント308は、信号エネルギーパラメータに基づいて、1つまたは複数のフェムトノード用の送信電力などの送信パラメータ用の調整値を決定することができ、その調整値をフェムトノード302に通信することができる。これは上述されたように発生し、その結果計算機能がフェムトノード302から集中型エンティティ304に移動される。別の例では、送信調整指示コンポーネント308は、フェムトノード302用の送信調整値を決定するために、マクロ/フェムトノード204などのさらなるマクロ/フェムトノードによって測定された信号エネルギーパラメータを考慮することができる。送信調整指示コンポーネント308は、たとえば、フェムトノード302および他のフェムトノードから受信された信号エネルギーパラメータに基づいて、フェムトノード302の隣接するマクロ/フェムトノード用の信号エネルギーパラメータを決定することができる。このようにして、送信調整指示コンポーネント308は、複数のソースで測定された、決定された信号エネルギーパラメータに基づいて、送信調整値を生成することができる。別の例では、送信調整指示コンポーネント308は、フェムトノード302に近い他のフェムトノード用に生成された送信調整値に部分的に基づいて、フェムトノード302用の送信調整値を生成することができる。
【００４８】
さらに、たとえば、送信調整指示コンポーネント308は、フェムトノード302用の送信パラメータ調整値を計算する際に、負荷パラメータ、フェムトノード302の位置、隣接するフェムトノードの数および電力などの、さらなるパラメータを取得および利用することができる。一例では、フェムトノード302がフェムトノードで飽和したエリア内にある場合、図2に記載されたように、信号エネルギーはほとんど常にしきい値を超えている可能性がある。一例では、送信調整指示コンポーネント308は、送信パラメータ調整値を割り当てて、あるレベルの公平性で飽和したエリア内の複数のフェムトノード間の送信機会の均衡を容易にする際に、所与のフェムトノードでの最近の送信からの時間を考慮することができる。送信調整指示コンポーネント308は、フェムトノード302からそのようなタイミング情報を受信し、フェムトノード302に供給された前の送信調整値に基づいてタイミング情報を決定し、かつ/または同様のことをすることができる。
【００４９】
いずれの場合にも、送信調整指示コンポーネント308は、上述された式と同様の式を使用して送信調整値を生成することができ、ここで、しきい値は、特定のネットワークカバレージおよび/またはパフォーマンスメトリックに到達するように設定することができる。送信調整指示コンポーネント308は、フェムトノード302に送信調整値を通信することができる。送信調整コンポーネント210は、送信調整値を取得し、それに応じて調整を実施する(たとえば、送信調整値が送信電力に関係する場合、フェムトノード302の送信電力を修正する)ことができる。この点について、フェムトノード302、および/またはマクロ/フェムトノード204などの他のフェムトノードに関係する送信パラメータは、近くのフェムトノードの信号エネルギーおよび/または他のパラメータに基づいて調整されて、所望のネットワークのカバレージおよび/またはパフォーマンスを提供することができる。
【００５０】
記載されたように、アクティブ化されたアクセスポイント内の変化(たとえば、アクティブ化、非アクティブ化、または送信電力における変化)に対するワイヤレス通信システムの適合性は、記載された態様の有利な結果である。この結果を実現するために、システム内のフェムトノードは、ノード間で互換性のある電力制御機能を利用することができる。たとえば、フェムトノードによって使用される自律型送信電力制御方法は、知られているか、または(たとえば、明確に、もしくは暗黙的に)少なくとも別のフェムトノードによって発見可能であり、その逆も同様であり得る。暗黙的な発見は、システムのすべてのフェムトノード内で(または少なくとも関連するフェムトノードのグループ用に)自律型送信電力制御アルゴリズムの同一または後方互換性があるバージョンを執行することを含む可能性がある。さらに、この例では、送信電力制御のバージョンコントロールは、新しいフェムトノードがネットワークシステムに接続しているときに、コアネットワークエンティティによって実行することができる。
【００５１】
この例では、自律型送信調整執行コンポーネント310は、ワイヤレスネットワークに接続すると、送信電力制御に関する1つまたは複数のパラメータを、フェムトノード302、および/またはマクロ/フェムトノード204などの他のフェムトノードに供給することができる。新しいフェムトノード302の使用を可能にする前に、たとえば、送信調整執行コンポーネント310は、フェムトノード302が互換性のある自律型送信電力制御を使用することを確認することができる。これは、フェムトノード302に対して実行される問合せであり、受信された応答、フェムトノード302用の加入情報内で実行される確認、フェムトノード302に関連する1つもしくは複数の他のネットワークコンポーネントに対する問合せ、および/または同様のものに基づくことができる。一例では、これは、送信電力制御アルゴリズムの互換性のあるバージョン情報を確認することを含む可能性がある。互換性が確認された場合、送信調整執行コンポーネント310は、フェムトノード302の接続および動作を可能にすることができる。互換性が確認できなかった場合、送信調整執行コンポーネント310は、互換性のあるソフトウェアコンポーネントをフェムトノードに提供し、(たとえば、少なくとも提供されたソフトウェアコンポーネントがフェムトノードにインストールされ、互換性が確認できるまで)ネットワークへのフェムトノードの接続を無効にし、かつ/または同様のことを行うことができる。このようにして、送信調整執行コンポーネント310は、本明細書に記載されたように、ネットワーク内で通信するフェムトノード302が互換性のある送信電力制御アルゴリズムを使用して較正を容易にすることを保証することができる。
【００５２】
図4〜図5は、測定された信号エネルギーに基づいて送信パラメータを修正することに関する例示的な方法を示す。説明を簡単にするために、方法は一連の行為として図示および記載されているが、いくつかの行為は1つまたは複数の実施形態に従って、他の行為と同時に、および/または本明細書に図示および記載された順序と異なる順序で行うことができるため、方法は行為の順序によって限定されないことを理解および諒解されたい。たとえば、方法は、代わりに、状態図におけるように、一連の相互に関係する状態またはイベントとして表すことができることを諒解されたい。さらに、1つまたは複数の実施形態に従って方法を実施するために、示されたすべての行為が必要とされ得るわけではない。
【００５３】
図4は、測定された信号エネルギーに基づいてフェムトノードの送信パラメータを調整するための例示的な方法400を描写する。一例では、方法400は、フェムトノード102a〜d、フェムトノード108、および/もしくはフェムトノード202、集中型エンティティ304、または関係するコンポーネント、プロセッサなどによって実行することができる。
【００５４】
402で、フェムトノードで信号エネルギーを測定することができる。これは、フェムトノードの送受信機、NLM、または他のコンポーネントで受信された信号を測定することを含む可能性がある。信号エネルギーは、記載されたように、RSSI、SNR、SINR、Ecp、Ecp/Ioなどとして測定することができる。さらに、信号エネルギーは、1つまたは複数の期間にわたって測定することができる。別の例では、信号エネルギーは、フェムトノードによってサービスされ得るか、または場合によってはフェムトノードのしきい値の距離内で動作できる1つまたは複数のUEによって実行された測定値として受信することができる。
【００５５】
404で、信号エネルギーとノイズフロアおよびしきい値信号エネルギーとの間の比較を決定することができる。たとえば、これは、送信パラメータ調整値を計算できる差分を決定するために、信号エネルギーをノイズフロアおよびしきい値と比較することを含む可能性がある。
【００５６】
このようにして、406で、比較に基づいてフェムトノードの送信パラメータを調整することができる。一例では、信号エネルギーがノイズフロアより下である場合、フェムトノードの送信電力は最大電力に設定することができる。信号エネルギーがノイズフロアより上であるがしきい値信号エネルギーより下である場合、フェムトノードの送信電力は、信号エネルギーとしきい値信号エネルギーとの間の差分に基づいて、最小送信電力と最大送信電力との間で補間することができる。信号エネルギーがしきい値信号エネルギーより上である場合、フェムトノードの送信電力は、ゼロまたは最小送信電力に設定されて、しきい値をすでに超えている現在の信号エネルギーを超えた信号エネルギーを放出することを予防することができる。
【００５７】
一例では、集中型エンティティによって実装された場合、信号エネルギーを測定することは、フェムトノードまたは関係するUEから信号エネルギー測定値を受信することを含む可能性がある。この点について、送信パラメータ調整は、調整値またはフェムトノードのパラメータ用の値を決定し、調整値またはフェムトノードのパラメータ用の値をフェムトノードに通信することに関係する可能性がある。
【００５８】
図5は、受信された信号エネルギーパラメータに基づいて1つまたは複数のフェムトノード用の送信調整値を決定するための例示的な方法500を示す。一例では、方法500は、集中型エンティティ304、フェムトノードのネットワーク内の実質的に任意のフェムトノード、または関係するコンポーネント、プロセッサなどによって実行することができる。
【００５９】
502で、1つまたは複数のフェムトノードから複数の信号エネルギー測定値を受信することができる。たとえば、これは、フェムトノードで複数のRSSI測定値を受信することを含む可能性がある。たとえば、測定値は、測定値に基づいて送信調整を望むフェムトノードから、フェムトノードによってサービスされる1つまたは複数のUEから、および/または同様のものから受信することができる。一例では、複数の測定値が受信された場合、測定値は平均化されるか、または場合によっては合成されて、複数の測定値を与えられたRSSIのより正確な表現を生成することができる。
【００６０】
504で、複数の信号エネルギー測定値に部分的に基づいて、フェムトノード用の送信調整値を決定することができる。記載されたように、これは、測定値、ならびに、特定のネットワークのカバレージおよび/またはパフォーマンスを実現するために設定された、関係するしきい値を使用して調整値を計算することを含む可能性がある。さらに、送信調整値は、フェムトノード用の送信電力、MCS、または他の送信パラメータに対応することができ、フェムトノードでのパラメータ用の調整値または実際の値であり得る。
【００６１】
506で、フェムトノードに送信調整値を指示することができる。たとえば、これはフェムトノードへのバックホール通信を介して起こる可能性がある。このようにして、フェムトノードは指示された送信調整値に基づいて、送信パラメータをそれに応じて調整することができる。
【００６２】
本明細書に記載された1つまたは複数の態様によれば、記載されたように、信号エネルギーパラメータを測定すること、しきい値を調整して特定のネットワークのカバレージおよび/もしくはパフォーマンスを実現すること、パラメータおよびしきい値に基づいて送信調整値を決定すること、ならびに/または同様のことに関する推論を行うことができることが諒解されよう。本明細書で使用する「推論する」または「推論」という用語は、一般に、イベントおよび/またはデータを介して捕捉される1組の観察値から、システム、環境、および/またはユーザの状態を推理または推論するプロセスを指す。推論は、特定のコンテキストまたはアクションを識別するために使用することができるか、または、たとえば、状態上の確率分布を生成することができる。推論は、確率的、すなわち、データおよびイベントの考慮事項に基づいた、当該の状態上の確率分布の計算であり得る。推論は、1組のイベントおよび/またはデータからより高レベルのイベントを構成するために使用される技法を指すこともできる。イベントが時間的近さにおいて相関しているかどうか、ならびにイベントおよびデータが1つまたは複数のイベントおよびデータソースから来るかどうかにかかわらず、そのような推論によって、1組の観察されたイベントおよび/または記憶されたイベントデータから新しいイベントまたはアクションの構築がもたらされる。
【００６３】
図6は、信号エネルギー測定値に基づいて送信パラメータの調整を容易にするシステム600の説明図である。システム600は、(たとえば、複数のネットワーク技術のアンテナであり得る)複数の受信アンテナ606を介して1つまたは複数のモバイルデバイスまたはeNB604から信号を受信する受信機610、および、(たとえば、複数のネットワーク技術のアンテナであり得る)複数の送信アンテナ608を介して1つまたは複数のモバイルデバイスまたはeNB604に信号を送信する送信機642を有するeNB602を含む。たとえば、eNB602は、eNB604から受信された信号を他のeNB604に送信すること、および/またはその逆を行うことができる。受信機610は、1つまたは複数の受信アンテナ606から情報を受信することができ、受信された情報を復調する復調器612と動作可能なように関連付けられる。加えて、一例では、受信機610は有線バックホールリンクから受信することができる。別個のアンテナとして描写されたが、少なくとも1つの受信アンテナ606および対応する1つの送信アンテナ608は、同じアンテナとして合体することができることを諒解されたい。復調された符号はプロセッサ614によって分析され、プロセッサ614は本明細書に記載された1つまたは複数の態様の実行に関係する情報を記憶するメモリ616に結合される。
【００６４】
プロセッサ614は、たとえば、受信機610によって受信された情報を分析すること、および/もしくは送信機642による送信用の情報を生成することに専用のプロセッサ、eNB602の1つもしくは複数のコンポーネントを制御するプロセッサ、ならびに/または、受信機610によって受信された情報を分析し、送信機642による送信用の情報を生成し、eNB602の1つもしくは複数のコンポーネントを制御するプロセッサであり得る。加えて、プロセッサ614は、本明細書に記載された1つまたは複数の機能を実行することができ、そのような目的用のコンポーネントと通信することができる。
【００６５】
メモリ616は、記載されたように、プロセッサ614に動作可能なように結合され、送信されるべきデータ、受信されたデータ、使用可能なチャネルに関係する情報、分析された信号および/または干渉強度に関連するデータ、割り当てられたチャネル、電力、レートなどに関係する情報、ならびにチャネルを推定し、チャネルを介して通信するための任意の他の適切な情報を記憶することができる。メモリ616は、さらに、信号エネルギーパラメータを測定すること、送信パラメータを調整すること、および/または同様のことに関連するプロトコルおよび/またはアルゴリズムを記憶することができる。
【００６６】
本明細書に記載されたデータストア(たとえば、メモリ616)は、揮発性メモリもしくは不揮発性メモリのいずれかであり得るか、または揮発性メモリと不揮発性メモリの両方を含むことができることは理解されよう。限定ではなく例として、不揮発性メモリには、読取り専用メモリ(ROM)、プログラマブルROM(PROM)、電気的プログラマブルROM(EPROM)、電気的消去可能PROM(EEPROM)、またはフラッシュメモリが含まれ得る。揮発性メモリには、外部キャッシュメモリとして働くランダムアクセスメモリ(RAM)が含まれ得る。限定ではなく例として、RAMは、同期RAM(SRAM)、ダイナミックRAM(DRAM)、同期DRAM(SDRAM)、ダブルデータレートSDRAM(DDR SDRAM)、拡張SDRAM(ESDRAM)、シンクリンクDRAM(SLDRAM)、およびダイレクトRambus RAM(DRRAM)などの多くの形で使用可能である。対象のシステムおよび方法のメモリ616は、それだけに限定されないが、これらおよび任意の他の適切なタイプのメモリを含むものとする。
【００６７】
プロセッサ614は、さらに場合によっては、信号エネルギー測定コンポーネント208と同様であり得る信号エネルギー測定コンポーネント618、送信調整コンポーネント210と同様であり得る送信調整コンポーネント620、信号エネルギー受信コンポーネント306と同様であり得る信号エネルギー受信コンポーネント622、送信調整指示コンポーネント308と同様であり得る送信調整指示コンポーネント624、および/または、送信調整執行コンポーネント310と同様であり得る送信調整執行コンポーネント626に結合される。さらに、たとえば、プロセッサ614は、変調器640を使用して送信されるべき信号を変調し、送信機642を使用して変調された信号を送信することができる。送信機642は、Txアンテナ608を介してモバイルデバイスまたはeNB604に信号を送信することができる。さらに、プロセッサ614とは別個のものとして描写されているが、信号エネルギー測定コンポーネント618、送信調整コンポーネント620、信号エネルギー受信コンポーネント622、送信調整指示コンポーネント624、送信調整執行コンポーネント626、復調器612、および/または変調器640は、プロセッサ614もしくは複数のプロセッサ(図示せず)の一部であり得るし、かつ/またはプロセッサ614による実行用の命令としてメモリ616に記憶できることを諒解されたい。
【００６８】
図7は、1つまたは複数の測定された信号エネルギーパラメータに基づいてフェムトノードの送信パラメータを調整するためのシステム700を示す。たとえば、システム700は、フェムトノードまたは他の低電力基地局、集中型エンティティなどの内部に、少なくとも一部は存在することができる。システム700は、プロセッサ、ソフトウェア、またはそれらの組合せ(たとえば、ファームウェア)によって実装された機能を表す機能ブロックであり得る、機能ブロックを含むものとして表されていることを諒解されたい。システム700は、連携して動作することができる電気的コンポーネントの論理的グルーピング702を含む。たとえば、論理的グルーピング702は、フェムトノードで受信された信号エネルギーとノイズフロアおよびしきい値信号エネルギーとの間の比較を判定するための電気的コンポーネント704を含むことができる。さらに、論理的グルーピング702は、比較に基づいてフェムトノードの送信パラメータを調整するための電気的コンポーネント706を含むことができる。
【００６９】
記載されたように、たとえば、送信パラメータは、比較の結果に応じて、信号エネルギー、ノイズフロア、および/または信号エネルギーしきい値の関数として調整することができる。たとえば、電気的コンポーネント704は、上述されたように、信号エネルギー測定コンポーネント208、NLMコンポーネント212、パラメータ受信コンポーネント214などを含むことができる。加えて、一態様では、たとえば電気的コンポーネント706は、記載されたように送信調整コンポーネント210を含むことができる。
【００７０】
加えて、システム700は、電気的コンポーネント704および電気的コンポーネント706に関連する機能を実行するための命令を保持するメモリ708を含むことができる。メモリ708の外部にあるものとして示されているが、電気的コンポーネント704および電気的コンポーネント706のうちの1つまたは複数は、メモリ708の内部に存在できることを理解されたい。さらに、たとえば、電気的コンポーネント704および電気的コンポーネント706は、バス712によって相互接続することができる。一例では、電気的コンポーネント704および電気的コンポーネント706は少なくとも1つのプロセッサを含むことができるか、または電気的コンポーネント704および電気的コンポーネント706の各々は少なくとも1つのプロセッサの対応するモジュールであり得る。さらに、追加または代替の例では、電気的コンポーネント704および電気的コンポーネント706は、そこでは電気的コンポーネント704および電気的コンポーネント706の各々が対応するコードであり得るコンピュータ可読媒体を備えるコンピュータプログラム製品であり得る。
【００７１】
図8は、本明細書に提示された様々な実施形態によるワイヤレス通信システム800を示す。システム800は、複数のアンテナグループを含むことができる基地局802を備える。たとえば、1つのアンテナグループはアンテナ804およびアンテナ806を含むことができ、別のアンテナグループはアンテナ808およびアンテナ810を含むことができ、さらなるアンテナグループはアンテナ812およびアンテナ814を含むことができる。アンテナグループごとに2つのアンテナが示されているが、グループごとにより多いか、またはより少ないアンテナを利用することができる。基地局802は、さらに、送信機チェーンおよび受信機チェーンを含むことができ、それらの各々は、諒解されるように、信号の送信および受信に関連する複数のコンポーネントまたはモジュール(たとえば、プロセッサ、変調器、マルチプレクサ、復調器、デマルチプレクサ、アンテナなど)を備えることができる。
【００７２】
基地局802は、モバイルデバイス816およびモバイルデバイス822などの1つまたは複数のモバイルデバイスと通信することができるが、基地局802は、モバイルデバイス816およびモバイルデバイス822と同様の実質的に任意の数のモバイルデバイスと通信できることを諒解されたい。モバイルデバイス816およびモバイルデバイス822は、たとえば、セルラー電話、スマートフォン、ラップトップ、ハンドヘルド通信デバイス、ハンドヘルドコンピューティングデバイス、衛星無線、全地球測位システム、PDA、および/または、ワイヤレス通信システム800を介して通信するのに適した任意の他のデバイスであり得る。描写されたように、モバイルデバイス816は、アンテナ812およびアンテナ814と通信中であり、ここでアンテナ812およびアンテナ814は、順方向リンク818を介してモバイルデバイス816に情報を送信し、逆方向リンク820を介してモバイルデバイス816から情報を受信する。さらに、モバイルデバイス822は、アンテナ804およびアンテナ806と通信中であり、ここでアンテナ804およびアンテナ806は、順方向リンク824を介してモバイルデバイス822に情報を送信し、逆方向リンク826を介してモバイルデバイス822から情報を受信する。周波数分割二重(FDD)システムでは、順方向リンク818は、たとえば、逆方向リンク820とは異なる周波数帯域を利用することができ、順方向リンク824は、逆方向リンク826によって使用される周波数帯域とは異なる周波数帯域を使用することができる。さらに、時分割二重(TDD)システムでは、順方向リンク818と逆方向リンク820は、共通の周波数帯域を利用することができ、順方向リンク824と逆方向リンク826は、共通の周波数帯域を利用することができる。
【００７３】
アンテナの各グループ、および/またはアンテナが通信するように指定されたエリアは、基地局802のセクタと呼ぶことができる。たとえば、アンテナグループは、基地局802によってカバーされるエリアのセクタ内のモバイルデバイスと通信するように設計することができる。順方向リンク818および順方向リンク824を介した通信では、基地局802の送信アンテナはビームフォーミングを利用して、モバイルデバイス816用の順方向リンク818およびモバイルデバイス822用の順方向リンク824の信号対ノイズ比を改善することができる。また、基地局802はビームフォーミングを利用して、関連するカバレージを介して不規則に散乱したモバイルデバイス816およびモバイルデバイス822に送信するが、隣接するセル内のモバイルデバイスは、単一のアンテナを介してすべてのそのモバイルデバイスに送信する基地局と比較して、干渉を被る可能性が少ない。さらに、モバイルデバイス816およびモバイルデバイス822は、描写されたように、ピアツーピアまたはアドホックの技術を使用して、直接互いに通信することができる。
【００７４】
図9は、例示的なワイヤレス通信システム900を示す。ワイヤレス通信システム900は、簡潔にするために、1つの基地局910および1つのモバイルデバイス950を描写する。しかしながら、システム900は、2つ以上の基地局および/または2つ以上のモバイルデバイスを含むことができ、さらなる基地局および/またはモバイルデバイスは、下記に記載される例示的な基地局910およびモバイルデバイス950と実質的に同様か、または異なる可能性があることを諒解されたい。さらに、基地局910は、一例では、前に記載された1つまたは複数のフェムトノードなどの低電力基地局であり得る。加えて、基地局910および/またはモバイルデバイス950は、本明細書に記載された例示的なシステム(図1〜図3、図6〜図8)および/または方法(図4〜図5)を使用して、それらの間のワイヤレス通信を容易にすることができることを諒解されたい。たとえば、本明細書に記載されたシステムのコンポーネントもしくは機能および/または方法は、下記に記載されるメモリ932および/もしくはメモリ972、またはプロセッサ930および/もしくはプロセッサ970の一部であり得るし、かつ/あるいは、プロセッサ930および/もしくはプロセッサ970によって実行されて、開示された機能を実施することができる。
【００７５】
基地局910で、いくつかのデータストリームのトラフィックデータが、データソース912から送信(TX)データプロセッサ914に供給される。一例によれば、各データストリームは、それぞれのアンテナを介して送信することができる。TXデータプロセッサ914は、そのデータストリーム用に選択された特定の符号化方式に基づいて、トラフィックデータストリームをフォーマットし、符号化し、インターリーブして、符号化されたデータを供給する。
【００７６】
各データストリーム用の符号化データは、直交周波数分割多重化(OFDM)技法を使用して、パイロットデータとともに多重化することができる。追加または代替として、パイロットシンボルは、周波数分割多重(FDM)、時分割多重(TDM)、または符号分割多重(CDM)であり得る。パイロットデータは、通常、既知の方法で処理され、かつモバイルデバイス950で使用されて、チャネル応答を推定することができる既知のデータパターンである。データストリームごとに多重化されたパイロットデータと符号化データは、そのデータストリーム用に選択された特定の変調方式(たとえば、2位相シフトキーイング(BPSK)、4位相シフトキーイング(QPSK)、M位相シフトキーイング(M-PSK)、M直角位相振幅変調(M-QAM)など)に基づいて、変調(たとえば、シンボルマップ)されて、変調シンボルを供給することができる。データストリームごとのデータレート、符号化、および変調は、プロセッサ930によって実行または提供された命令によって決定することができる。
【００７７】
データストリーム用の変調シンボルをTX MIMOプロセッサ920に供給することができ、TX MIMOプロセッサ920は、さらに(たとえば、OFDM用の)変調シンボルを処理することができる。次いで、TX MIMOプロセッサ920は、NT個の変調シンボルストリームをNT個の送信機(TMTR)922a〜922tに供給する。様々な実施形態では、TX MIMOプロセッサ920は、データストリームのシンボル、およびシンボルがそこから送信されるアンテナに、ビームフォーミング重みを加える。
【００７８】
各送信機922は、それぞれのシンボルストリームを受信および処理して、1つまたは複数のアナログ信号を供給し、さらに、アナログ信号を調整(たとえば、増幅、フィルタリング、およびアップコンバート)して、MIMOチャネルを介した送信に適した変調信号を供給する。さらに、送信機922a〜922tからのNT個の変調信号が、それぞれNT個のアンテナ924a〜924tから送信される。
【００７９】
モバイルデバイス950で、送信された変調信号は、NR個のアンテナ952a〜952rによって受信され、各アンテナ952から受信された信号は、それぞれの受信機(RCVR)954a〜954rに供給される。各受信機954は、それぞれの信号を調整(たとえば、フィルタリング、増幅、およびダウンコンバート)し、調整された信号をデジタル化してサンプルを供給し、さらにそのサンプルを処理して対応する「受信」シンボルストリームを供給する。
【００８０】
RXデータプロセッサ960は、NR個の受信機954からNR個の受信シンボルストリームを受信し、特定の受信機処理技法に基づいて処理して、NT個の「検出」シンボルストリームを供給することができる。RXデータプロセッサ960は、検出された各シンボルストリームを復調、デインターリーブ、および復号して、データストリーム用のトラフィックデータを復元することができる。RXデータプロセッサ960による処理は、基地局910でのTX MIMOプロセッサ920およびTXデータプロセッサ914によって実行された処理と相補関係にある。
【００８１】
逆方向リンクメッセージは、通信リンクおよび/または受信データストリームに関する様々なタイプの情報を含むことができる。逆方向リンクメッセージは、データソース936からいくつかのデータストリーム用のトラフィックデータも受信するTXデータプロセッサ938によって処理され、変調器980によって変調され、送信機954a〜954rによって調整され、基地局910に送り返すことができる。
【００８２】
基地局910で、モバイルデバイス950からの変調信号は、アンテナ924によって受信され、受信機922によって調整され、復調器940によって復調され、RXデータプロセッサ942によって処理されて、モバイルデバイス950によって送信される逆方向リンクメッセージを抽出する。さらに、プロセッサ930は、抽出されたメッセージを処理して、ビームフォーミング重みを決定するためにどのプリコーディング行列を使用するかを判定することができる。
【００８３】
プロセッサ930およびプロセッサ970は、それぞれ基地局910およびモバイルデバイス950での動作を指示(たとえば、制御、調整、管理など)することができる。それぞれのプロセッサ930およびプロセッサ970は、プログラムコードおよびデータを記憶するメモリ932およびメモリ972に関連付けることができる。たとえば、記載されたように、信号エネルギーパラメータを決定すること、送信パラメータを調整すること、および/または同様のことなどの、本明細書に記載された機能および/またはコンポーネントに関係する命令を、プロセッサ930および/またはプロセッサ970は実行することができ、メモリ932および/またはメモリ972は記憶することができる。
【００８４】
図10は、本明細書内の教示を実装できる、いくつかのユーザをサポートするように構成されたワイヤレス通信システム1000を示す。システム1000は、たとえばマクロセル1002A〜1002Gなどの複数のセル1002用の通信を提供し、各セルは、対応するアクセスノード1004(たとえば、アクセスノード1004A〜1004G)によってサービスされる。図10に示されたように、アクセス端末1006(たとえば、アクセス端末1006A〜1006L)は、時間とともにシステム全体にわたって様々な位置に分散する可能性がある。各アクセス端末1006は、たとえばアクセス端末1006がアクティブであるかどうか、およびソフトハンドオフにあるかどうかに応じて、定められたときに順方向リンク(FL)および/または逆方向リンク(RL)上の1つまたは複数のアクセスノード1004と通信することができる。ワイヤレス通信システム1000は、広大な地理的領域にわたってサービスを提供することができる。
【００８５】
図11は、1つまたは複数のフェムトノードがネットワーク環境内に配置される、例示的な通信システム1100を示す。具体的には、システム1100は、比較的小規模のネットワーク環境内(たとえば、1つまたは複数のユーザの住宅1130内)に設置された、複数のフェムトノード1110Aおよび1110B(たとえば、フェムトセルノードまたはH(e)NB)を含む。各フェムトノード1110は、デジタル加入者回線(DSL)ルータ、ケーブルモデム、ワイヤレスリンク、または他の接続手段(図示せず)を介して、ワイドエリアネットワーク1140(たとえば、インターネット)およびモバイル事業者コアネットワーク1150に結合することができる。以下で説明されるように、各フェムトノード1110は、関連するアクセス端末1120(たとえば、アクセス端末1120A)、および場合によっては異種のアクセス端末1120(たとえば、アクセス端末1120B)をサービスするように構成することができる。言い換えれば、フェムトノード1110に対するアクセスは、所与のアクセス端末1120が1組の指定された(たとえば、ホーム)フェムトノード1110によってサービスされ得るが、指定されていないフェムトノード1110(たとえば、隣接するフェムトノード)によってサービスされ得ないように、制限することができる。
【００８６】
図12は、それぞれがいくつかのマクロカバレージエリア1204を含むいくつかのトラッキングエリア1202(またはルーティングエリアまたはロケーションエリア)が画定された、カバレージマップ1200の一例を示す。ここでは、トラッキングエリア1202A、1202Bおよび1202Cに関連するカバレージのエリアが太線によって描かれ、マクロカバレージエリア1204が六角形によって表されている。トラッキングエリア1202はまた、フェムトカバレージエリア1206を含む。この例では、フェムトカバレージエリア1206の各々(たとえば、フェムトカバレージエリア1206C)は、マクロカバレージエリア1204(たとえば、マクロカバレージエリア1204B)の内部に描写されている。しかしながら、フェムトカバレージエリア1206は、完全にマクロカバレージエリア1204の内部にあるとは限らないことを諒解されたい。実際には、多数のフェムトカバレージエリア1206は、所与のトラッキングエリア1202またはマクロカバレージエリア1204で画定することができる。また、1つまたは複数のピコカバレージエリア(図示せず)は、所与のトラッキングエリア1202またはマクロカバレージエリア1204の内部に画定することができる。
【００８７】
再び図11を参照すると、フェムトノード1110の所有者は、たとえば、モバイル事業者コアネットワーク1150を介して提供される、3Gモバイルサービスなどのモバイルサービスに加入することができる。加えて、アクセス端末1120は、マクロ環境内と、より小規模(たとえば、住宅)のネットワーク環境内の両方で動作可能であり得る。したがって、たとえば、アクセス端末1120の現在の位置に応じて、アクセス端末1120は、アクセスノード1160によって、または1組のフェムトノード1110(たとえば、対応するユーザの住宅1130内に存在するフェムトノード1110Aおよび1110B)のうちのいずれか1つによってサービスすることができる。たとえば、加入者が自分の家の外部にいるときは、加入者は標準的なマクロセルアクセスノード(たとえば、ノード1160)によってサービスされ、加入者が家にいるときは、加入者はフェムトノード(たとえば、ノード1110A)によってサービスされる。ここで、フェムトノード1110は、既存のアクセス端末1120との後方互換性があり得ることを諒解されたい。
【００８８】
フェムトノード1110は、単一の周波数上か、または代替として、複数の周波数上に配置することができる。特定の構成に応じて、単一の周波数、または複数の周波数のうちの1つもしくは複数は、マクロセルアクセスノード(たとえば、ノード1160)によって使用される1つまたは複数の周波数と重なる可能性がある。いくつかの態様では、アクセス端末1120は、そのような接続が可能であるときはいつでも、好ましいフェムトノード(たとえば、アクセス端末1120のホームフェムトノード)に接続するように構成することができる。たとえば、アクセス端末1120がユーザの住宅1130内にあるときはいつでも、アクセス端末1120はホームフェムトノード1110と通信することができる。
【００８９】
いくつかの態様では、アクセス端末1120がモバイル事業者コアネットワーク1150内で動作するが、(たとえば、好ましいローミングリスト内に規定されたような)その最も好ましいネットワーク上に存在していない場合、より良いシステムが現在利用可能かどうかを判定するための利用可能なシステムの周期的走査、およびその後のそのような好ましいシステムと関係する努力を含む、Better System Reselection(BSR)を使用して、アクセス端末1120は最も好ましいネットワーク(たとえば、フェムトノード1110)を探し続けることができる。一例では、(たとえば、好ましいローミングリスト内の)取得テーブル項目を使用して、アクセス端末1120は特定の帯域およびチャネルに対する探索を制限することができる。たとえば、最も好ましいシステムに対する探索は、周期的に繰り返すことができる。フェムトノード1110などの好ましいフェムトノードが発見されると、アクセス端末1120は、そのカバレージエリア内のキャンピング用にフェムトノード1110を選択する。
【００９０】
いくつかの態様では、フェムトノードは限定される可能性がある。たとえば、所与のフェムトノードは、特定のアクセス端末に特定のサービスを提供することだけができる。いわゆる限定的(または閉鎖的)な関係を有する配置では、所与のアクセス端末は、マクロセルモバイルネットワークおよび規定されたセットのフェムトノード(たとえば、対応するユーザの住宅1130内に存在するフェムトノード1110)のみによってサービスすることができる。いくつかの実装形態では、フェムトノードは、少なくとも1つのアクセス端末に、シグナリング、データアクセス、登録、ページング、またはサービスのうちの少なくとも1つを提供しないように限定することができる。
【００９１】
いくつかの態様では、(限定加入者グループH(e)NBと呼ぶこともできる)限定フェムトノードは、限定的に供給されたセットのアクセス端末にサービスを提供するフェムトノードである。このセットは、必要に応じて一時的または永続的に拡大することができる。いくつかの態様では、限定加入者グループ(CSG)は、アクセス端末の共通アクセス制御リストを共有するアクセスノード(たとえば、フェムトノード)のセットとして規定することができる。ある領域内のすべてのフェムトノード(またはすべての限定フェムトノード)が動作するチャネルは、フェムトチャネルと呼ぶことができる。
【００９２】
所与のフェムトノードと所与のアクセス端末との間には、このように様々な関係が存在する可能性がある。たとえば、アクセス端末の観点から、オープンフェムトノードは限定的な関係がないフェムトノードを指すことができる。限定フェムトノードは、何らかの方式で限定された(たとえば、関係および/または登録について限定された)フェムトノードを指すことができる。ホームフェムトノードは、その上でアクセス端末がアクセスおよび動作することを認可されたフェムトノードを指すことができる。ゲストフェムトノードは、その上でアクセス端末がアクセスおよび動作することを一時的に認可されたフェムトノードを指すことができる。異種フェムトノードは、おそらく緊急事態(たとえば911番通報)を除いて、その上でアクセス端末がアクセスおよび動作することを認可されない(たとえば、アクセス端末がメンバーではない)フェムトノードを指すことができる。
【００９３】
限定フェムトノードの観点から、ホームアクセス端末は、限定フェムトノードにアクセスすることを認可されたアクセス端末を指すことができる。ゲストアクセス端末は、限定フェムトノードへの一時的なアクセス権を有するアクセス端末を指すことができる。異種アクセス端末は、おそらく緊急事態、たとえば911番通報を除いて、限定フェムトノードにアクセスする許可を有さないアクセス端末(たとえば、限定フェムトノードに登録する資格証明または許可を有さないアクセス端末)を指すことができる。
【００９４】
便宜上、本明細書内の開示は、フェムトノードの文脈で様々な機能を記載する。しかしながら、ピコノードは、より大きなカバレージエリアに対して、フェムトノードと同じかまたは同様の機能を提供できることを諒解されたい。たとえば、所与のアクセス端末に対して、ピコノードは限定され、ホームピコノードは規定され、などであり得る。
【００９５】
ワイヤレス多元接続通信システムは、複数のワイヤレスアクセス端末用の通信を同時にサポートすることができる。上述されたように、各端末は、順方向リンクおよび逆方向リンク上の伝送を介して、1つまたは複数の基地局と通信することができる。順方向リンク(またはダウンリンク)は基地局から端末までの通信リンクを指し、逆方向リンク(またはアップリンク)は端末から基地局までの通信リンクを指す。この通信リンクは、単入力単出力システム、MIMOシステム、または何らかの他のタイプのシステムを介して確立することができる。
【００９６】
本明細書で開示された実施形態に関して記載された、様々な例示的な論理、論理ブロック、モジュール、コンポーネント、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲート論理回路もしくは個別トランジスタ論理回路、個別ハードウェアコンポーネント、または、本明細書に記載された機能を実行するように設計されたそれらの任意の組合せによって、実装または実行することができる。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、DSPとマイクロプロセッサとの組合せ、複数のマイクロプロセッサ、DSPコアと連携する1つもしくは複数のマイクロプロセッサ、または任意の他のそのような構成として実装することができる。加えて、少なくとも1つのプロセッサは、上述されたステップおよび/またはアクションのうちの1つまたは複数を実行するように動作可能な、1つまたは複数のモジュールを備えることができる。例示的な記憶媒体は、プロセッサが記憶媒体から情報を読み取り、記憶媒体に情報を書き込むことができるように、プロセッサに結合することができる。代替として、記憶媒体はプロセッサと一体であり得る。さらに、いくつかの態様では、プロセッサおよび記憶媒体はASIC内に存在することができる。加えて、ASICはユーザ端末内に存在することができる。代替として、プロセッサおよび記憶媒体は、ユーザ端末内に個別コンポーネントとして存在することができる。
【００９７】
1つまたは複数の態様では、記載された機能、方法、またはアルゴリズムは、ハードウェア、ソフトウェア、ファームウェア、またはそれらの任意の組合せに実装することができる。ソフトウェアに実装された場合、機能は、1つまたは複数の命令またはコードとして、コンピュータ可読媒体上に記憶することができるか、または、コンピュータ可読媒体上で送信することができ、コンピュータ可読媒体はコンピュータプログラム製品に組み込むことができる。コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、コンピュータによってアクセスできる任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または、命令もしくはデータ構造の形態で所望のプログラムコードを搬送もしくは記憶するために使用でき、コンピュータによってアクセスできる、任意の他の媒体を含むことができる。また、実質的にいかなる接続もコンピュータ可読媒体と呼ぶことができる。たとえば、ソフトウェアが、同軸ケーブル、光ファイバケーブル、ツイストペア、デジタル加入者回線(DSL)、または、赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または、赤外線、無線、およびマイクロ波などのワイヤレス技術は、媒体の定義に含まれる。本明細書で使用されるディスク(disk)およびディスク(disc)は、コンパクトディスク(disc)(CD)、レーザディスク(disc)、光ディスク(disc)、デジタル多用途ディスク(disc)(DVD)、フレキシブルディスク(disk)およびブルーレイディスク(disc)を含み、ディスク(disk)は、通常、データを磁気的に再生し、ディスク(disc)は、通常、データをレーザで光学的に再生する。上記の組合せもコンピュータ可読媒体の範囲内に含まれるべきである。
【００９８】
上記の開示は例示的な態様および/または実施形態を説明したが、添付の特許請求の範囲によって規定される、記載された態様および/または実施形態の範囲から逸脱することなく、様々な変更および修正を本明細書で行うことができることに留意されたい。さらに、記載された態様および/または実施形態の要素は、単数形で記載または特許請求されている場合があるが、単数形に限定することが明示的に述べられていない限り、複数形が考えられる。加えて、任意の態様および/または実施形態の全部または一部は、別段に記載されていない限り、任意の他の態様および/または実施形態の全部または一部とともに利用することができる。
【符号の説明】
【００９９】
100  ワイヤレス通信システム
102a  フェムトノード
102b  フェムトノード
102c  フェムトノード
102d  フェムトノード
104  事業者コアネットワーク
106  WAN
108  フェムトノード
110  UE
112a  カバレージエリア
112b  カバレージエリア
112c  カバレージエリア
112d  カバレージエリア
114  カバレージエリア
200  ワイヤレス通信システム
202  フェムトノード
204  マクロ/フェムトノード
206  UE
208  信号エネルギー測定コンポーネント
210  送信調整コンポーネント
212  NLMコンポーネント
214  パラメータ受信コンポーネント
216  信号エネルギー
220  送信電力
222  ノイズフロア
224  信号エネルギーしきい値
300  ワイヤレス通信システム
302  フェムトノード
304  集中型エンティティ
306  信号エネルギー受信コンポーネント
308  送信調整指示コンポーネント
310  送信調整執行コンポーネント
400  フェムトノードの送信パラメータを調整するための例示的な方法
500  フェムトノード用の送信調整値を決定するための例示的な方法
600  送信パラメータの調整を容易にするシステム
602  eNB
604  モバイルデバイスまたはeNB
606  受信アンテナ
608  送信アンテナ
610  受信機
612  復調器
614  プロセッサ
616  メモリ
618  信号エネルギー測定コンポーネント
620  送信調整コンポーネント
622  信号エネルギー受信コンポーネント
624  送信調整指示コンポーネント
626  送信調整執行コンポーネント
640  変調器
642  送信機
700  フェムトノードの送信パラメータを調整するためのシステム
702  論理的グルーピング
704  フェムトノードで受信された信号エネルギーとノイズフロアおよびしきい値信号エネルギーとの間の比較を判定するための電気的コンポーネント
706  比較に基づいてフェムトノードの送信パラメータを調整するための電気的コンポーネント
708  メモリ
712  バス
800  ワイヤレス通信システム
802  基地局
804  アンテナ
806  アンテナ
808  アンテナ
810  アンテナ
812  アンテナ
814  アンテナ
816  モバイルデバイス
818  順方向リンク
820  逆方向リンク
822  モバイルデバイス
824  順方向リンク
826  逆方向リンク
900  ワイヤレス通信システム
910  基地局
912  データソース
914  TXデータプロセッサ
920  TX MIMOプロセッサ
922  送信機(TMTR)/受信機(RCVR)
924  アンテナ
930  プロセッサ
932  メモリ
936  データソース
938  TXデータプロセッサ
940  復調器
942  RXデータプロセッサ
950  モバイルデバイス
952  アンテナ
954  受信機(RCVR)/送信機(TMTR)
960  RXデータプロセッサ
970  プロセッサ
972  メモリ
980  変調器
1000  ワイヤレス通信システム
1002  マクロセル
1004  アクセスノード
1006  アクセス端末
1100  通信システム
1110  フェムトノード
1120  アクセス端末
1130  ユーザの住宅
1140  ワイドエリアネットワーク
1150  モバイル事業者コアネットワーク
1160  マクロセルアクセスノード
1200  カバレージマップ
1202  トラッキングエリア
1204  マクロカバレージエリア
1206  フェムトカバレージエリア
【図１】
0005724037.tif 000003
【図２】
0005724037.tif 000004
【図３】
0005724037.tif 000005
【図４】
0005724037.tif 000006
【図５】
0005724037.tif 000007
【図６】
0005724037.tif 000008
【図７】
0005724037.tif 000009
【図８】
0005724037.tif 000010
【図９】
0005724037.tif 000011
【図１０】
0005724037.tif 000012
【図１１】
0005724037.tif 000013
【図１２】
0005724037.tif 000014